(57)【要約】【課題】簡易な構造で空き缶を潰すことができ、且つ、空き缶を潰すと同時に空き缶の蓋部分を切断する蓋切断付空き缶潰し器を提供する。【解決手段】  蓋切断付空き缶潰し器１００は、第１の蓋切断部２１と第２の蓋切断部２２を有しており、これらは、台座１０の上面１０ａと潰し部材２０の下面２０ａが当接した状態で、台座１０の両側面を挟み込むように形成されている。台座１０と潰し部材２０を用いて空き缶Ｋの円筒部分Ｔが圧迫されて潰される状態で、第１の蓋切断部２１が、空き缶の一方の蓋Ｆ１を押切し、第１の蓋切断部２１と台座１０が噛み合い、空き缶Ｋから一方の蓋Ｆ１が切断されることになると同時に、第２の蓋切断部２２が、空き缶Ｋの一方の蓋Ｆ１と対向する他方の蓋Ｆ２を押切し、第２の蓋切断部２２と台座１０が噛み合い、空き缶Ｋから他方の蓋Ｆ２が切断される。【選択図】図２
2020044544.tif 000002
【特許請求の範囲】
【請求項１】
空き缶を載置する四角棒状の台座と、空き缶を圧迫する四角棒状の潰し部材を有し、前記台座と前記潰し部材は、それぞれの端部を中心として回転自在となるように一体的に形成されており、前記台座の上面と前記潰し部材の下面との間に載置される前記空き缶を、前記台座と前記潰し部材を用いて前記空き缶を圧迫することで、前記空き缶の円筒部分を潰すように形成されている蓋切断付空き缶潰し器であって、
金属で形成された第１の蓋切断部と第２の蓋切断部を有し、
前記第１の蓋切断部は、前記潰し部材の一方の側面に一体的になるように設けられ、
前記第２の蓋切断部は、前記潰し部材の一方の側面と対向する他方の側面に一体的になるように設けられており、
前記第１の蓋切断部と前記第２の蓋切断部は、前記台座の上面と前記潰し部材の下面が当接した状態で、前記台座の両側面を挟み込むように形成されており、
前記台座と前記潰し部材を用いて前記空き缶の円筒部分が前記圧迫され潰される状態において、前記第１の蓋切断部が、前記空き缶の一方の蓋を押切することで、前記第１の蓋切断部と前記台座が噛み合い、前記空き缶から前記一方の蓋が切断され、且つ、前記第２の蓋切断部が、前記空き缶の一方の蓋と対向する他方の蓋を押切することで、前記第２の蓋切断部と前記台座が噛み合い、前記空き缶から前記他方の蓋が切断されるように形成されていることを特徴とする蓋切断付空き缶潰し器。
【請求項２】
前記第１の蓋切断部は、
前記潰し部材の一方の側面と一体的となる第１の接合部と、前記第１の接合部を除いた部分である前記一方の蓋を切断する第１の刃部を有し、
前記第２の蓋切断部は、
前記潰し部材の他方の側面と一体的となる第２の接合部と、前記第２の接合部を除いた部分である前記他方の蓋を切断する第２の刃部を有し、
前記第１の刃部と前記第２の刃部のそれぞれは、予め定められた長手方向の長さと、予め定められた短手方向の長さを有することを特徴とする請求項１に記載の蓋切断付空き缶潰し器。
【請求項３】
前記予め定められた長手方向の長さは、前記台座の長手方向の長さの略３分の２になるように形成されていることを特徴とする請求項２に記載の蓋切断付空き缶潰し器。
【請求項４】
前記予め定められた短手方向の長さは、５ｍｍから３０ｍｍの範囲であることを特徴とする求項２または請求項３に記載の蓋切断付空き缶潰し器。
【請求項５】
前記台座と前記潰し部材は、前記それぞれの端部にヒンジが設けられており、前記ヒンジを用いて前記回転自在となるように形成されていることを特徴とする請求項１から請求項４のいずれかに記載の蓋切断付空き缶潰し器。
【請求項６】
前記台座と前記潰し部材は、金属または木材で形成されていることを特徴とする請求項１から請求項５のいずれかに記載の蓋切断付空き缶潰し器。
【請求項７】
前記第１の蓋切断部と前記第２の蓋切断部は、左右対称となるように形成されていることを特徴とする請求項１から請求項６のいずれかに記載の蓋切断付空き缶潰し器。
【請求項８】
前記台座の上面の短手方向の第１の長さと前記潰し部材の下面の短手方向の第２の長さは、略同一であり、
前記第１の長さと前記第２の長さが、前記空き缶の大きさに対応するように形成されていることを特徴とする請求項１から請求項７に記載の蓋切断付空き缶潰し器。
【請求項９】
前記空き缶の大きさに対応するように形成されている前記第１の長さと前記第２の長さは、４０ｍｍから１００ｍｍの範囲であることを特徴とする請求項８に記載の蓋切断付空き缶潰し器。
【請求項１０】
前記台座と一体的に形成された収納部を有し、
前記収納部には、内部に回収箱が載置されるように形成されており、
前記切断された一方の蓋、前記切断された他方の蓋及び前記圧迫された円筒部分が、前記収納部に載置された回収箱に収納されるように形成されており、
前記回収箱が、前記収納部から出し入れ自在となるように、前記収納部の側面に開閉扉が設けられていることを特徴とする請求項１から請求項９のいずれかに記載の蓋切断付空き缶潰し器。
【請求項１１】
前記空き缶を、ペットボトルに換えて、
前記台座の上面と前記潰し部材の下面との間に載置される前記ペットボトルとすることを特徴とする請求項１から請求項１０のいずれかに記載の蓋切断付空き缶潰し器。
【発明の詳細な説明】
【技術分野】
【０００１】
本発明は、蓋切断付空き缶潰し器に関する。
【背景技術】
【０００２】
空き缶のスペースを小さくし、リサイクルの効率を高めるものとして空き缶を潰すための空き缶潰し器が普及しており、コンパクトで、家庭内での使用ができる構造の空き缶潰し器が開示されている。
【先行技術文献】
【特許文献】
【０００３】
【特許文献１】特開２０１１−２４５５１１号公報
【発明の概要】
【発明が解決しようとする課題】
【０００４】
上記の空き缶潰し器は、空き缶の円筒部分を潰すことができても、空き缶の蓋の部分を潰すことは困難であり、蓋の部分を切断する機能を有するものが求められていた。
【０００５】
本発明は、こうした点に鑑みてなされたものであり、簡易な構造で空き缶を潰すことができ、且つ、空き缶を潰すと同時に空き缶の蓋部分を切断する蓋切断付空き缶潰し器を提供することである。
【課題を解決するための手段】
【０００６】
上記課題を解決するために、本発明に係る蓋切断付空き缶潰し器は、空き缶を載置する四角棒状の台座と、空き缶を圧迫する四角棒状の潰し部材を有し、前記台座と前記潰し部材は、それぞれの端部を中心として回転自在となるように一体的に形成されており、前記台座の上面と前記潰し部材の下面との間に載置される前記空き缶を、前記台座と前記潰し部材を用いて前記空き缶を圧迫することで、前記空き缶の円筒部分を潰すように形成されている蓋切断付空き缶潰し器であって、金属で形成された第１の蓋切断部と第２の蓋切断部を有し、前記第１の蓋切断部は、前記潰し部材の一方の側面に一体的になるように設けられ、前記第２の蓋切断部は、前記潰し部材の一方の側面と対向する他方の側面に一体的になるように設けられており、前記第１の蓋切断部と前記第２の蓋切断部は、前記台座の上面と前記潰し部材の下面が当接した状態で、前記台座の両側面を挟み込むように形成されており、前記台座と前記潰し部材を用いて前記空き缶の円筒部分が前記圧迫され潰される状態において、前記第１の蓋切断部が、前記空き缶の一方の蓋を押切することで、前記第１の蓋切断部と前記台座が噛み合い、前記空き缶から前記一方の蓋が切断され、且つ、前記第２の蓋切断部が、前記空き缶の一方の蓋と対向する他方の蓋を押切することで、前記第２の蓋切断部と前記台座が噛み合い、前記空き缶から前記他方の蓋が切断されるように形成されていることを特徴とする。
【０００７】
本発明の蓋切断付空き缶潰し器の態様について、前記第１の蓋切断部は、前記潰し部材の一方の側面と一体的となる第１の接合部と、前記第１の接合部を除いた部分である前記一方の蓋を切断する第１の刃部を有し、前記第２の蓋切断部は、前記潰し部材の他方の側面と一体的となる第２の接合部と、前記第２の接合部を除いた部分である前記他方の蓋を切断する第２の刃部を有し、前記第１の刃部と前記第２の刃部のそれぞれは、予め定められた長手方向の長さと、予め定められた短手方向の長さを有することが好ましく、前記予め定められた長手方向の長さは、前記台座の長手方向の長さの略３分の２になるように形成されていることが好ましく、また、前記予め定められた短手方向の長さは、５ｍｍから３０ｍｍの範囲であることが好ましい。
【０００８】
本発明の蓋切断付空き缶潰し器の態様について、前記台座と前記潰し部材は、前記それぞれの端部にヒンジが設けられており、前記ヒンジを用いて前記回転自在となるように形成されていることが好ましく、前記台座と前記潰し部材は、金属または木材で形成されていることが好ましく、また、前記第１の蓋切断部と前記第２の蓋切断部は、左右対称となるように形成されていることが好ましい。
【０００９】
本発明の蓋切断付空き缶潰し器の態様について、前記台座の上面の短手方向の第１の長さと前記潰し部材の下面の短手方向の第２の長さは、略同一であり、前記第１の長さと前記第２の長さが、前記空き缶の大きさに対応するように形成されていることが好ましく、また、前記空き缶の大きさに対応するように形成されている前記第１の長さと前記第２の長さは、４０ｍｍから１００ｍｍの範囲であることが好ましい。
【００１０】
本発明の蓋切断付空き缶潰し器の態様について、前記台座と一体的に形成された収納部を有し、前記収納部には、内部に回収箱が載置されるように形成されており、前記切断された一方の蓋、前記切断された他方の蓋及び前記圧迫された円筒部分が、前記収納部に載置された回収箱に収納されるように形成されており、前記回収箱が、前記収納部から出し入れ自在となるように、前記収納部の側面に開閉扉が設けられていることが好ましく、また、上記の空き缶を、ペットボトルに換えて、前記台座の上面と前記潰し部材の下面との間に載置される前記ペットボトルとすることが好ましい。
【発明の効果】
【００１１】
本発明によれば、簡易な構造で空き缶を潰すことができ、且つ、空き缶を潰すと同時に空き缶の蓋部分を切断する蓋切断付空き缶潰し器を提供することができる。
【図面の簡単な説明】
【００１２】
【図１】実施形態の蓋切断付空き缶潰し器の一例を示す模式図である。
【図２】実施形態の蓋切断付空き缶潰し器の使用の一例を示す模式図である。
【図３】実施形態の収納部付の蓋切断付空き缶潰し器の一例を示す参考図である。
【発明を実施するための形態】
【００１３】
以下、本発明の実施形態である蓋切断付空き缶潰し器１００を、図１から図３を用いて説明する。図１（ａ）は、蓋切断付空き缶潰し器１００の一例を示す斜視図であり、図１（ｂ）は、図１（ａ）に示す蓋切断付空き缶潰し器１００を上から見た模式図であり、図１（ｃ）は、図１（ａ）に示す蓋切断付空き缶潰し器１００を横から見た模式図である。図２（ａ）は、蓋切断付空き缶潰し器１００に空き缶Ｋが置かれている一例を示す模式図であり、図２（ｂ）は、図２（ａ）のＡ−Ａ断面を示す図であり、図２（ｃ）は、蓋切断付空き缶潰し器１００が空き缶Ｋの蓋Ｆ１と蓋Ｆ２を切断し、円筒部分Ｔを潰している状態の一例を示す模式図であり、図２（ｄ）は、図２（ｃ）のＢ−Ｂ断面を示す図である。図３は収納部４０に蓋切断付空き缶潰し器１００が搭載されている一例を示す参考図である。
【００１４】
蓋切断付空き缶潰し器１００は、空き缶Ｋを載置する四角棒状の台座１０と、空き缶Ｋを圧迫する四角棒状の潰し部材２０を有している。台座１０と潰し部材２０は、それぞれの端部を中心として回転自在となるように一体的に形成されている。この例においては、上記の回転自在となるようにする構成はヒンジ３０であり、このヒンジ３０を用いて台座１０と潰し部材２０が、それぞれの端部を中心として回転自在となるように形成されている。なお、ヒンジ３０は一例でありこれに限定されない。
【００１５】
台座１０の上面１０ａと潰し部材２０の下面２０ａとの間に載置される空き缶Ｋを、つまり載置された空き缶Ｋを台座１０と潰し部材２０を用いて圧迫することで、空き缶Ｋの円筒部分Ｔを潰すように形成されている。すなわち、床面などに台座１０を置き、そして潰し部材２０を、手、足などで押しつけることにより、空き缶Ｋを潰すように形成されている。
【００１６】
蓋切断付空き缶潰し器１００は、金属で形成された第１の蓋切断部２１と第２の蓋切断部２２を有している。第１の蓋切断部２１は、潰し部材２０の一方の側面に一体的になるように設けられており、また、第２の蓋切断部２２は、潰し部材２０の一方の側面と対向する他方の側面に一体的になるように設けられている。
【００１７】
第１の蓋切断部２１と第２の蓋切断部２２は、台座１０の上面１０ａと潰し部材２０の下面２０ａが当接した状態で、台座１０の両側面を挟み込むように形成されている。後述するように、第１の蓋切断部２１と第２の蓋切断部２２が台座１０と噛み合い空き缶Ｋを切断するように形成されている。
【００１８】
すなわち、台座１０と潰し部材２０を用いて空き缶Ｋの円筒部分Ｔが圧迫されて潰される状態において、第１の蓋切断部２１が、空き缶の一方の蓋Ｆ１を押切することで、第１の蓋切断部２１と台座１０が噛み合い、空き缶Ｋから一方の蓋Ｆ１が切断されることになると同時に、第２の蓋切断部２２が、空き缶Ｋの一方の蓋Ｆ１と対向する他方の蓋Ｆ２を押切することで、第２の蓋切断部２２と台座１０が噛み合い、空き缶Ｋから他方の蓋Ｆ２が切断されるように形成されている。
【００１９】
台座１０と潰し部材２０は、この例において、鉄、硬い木材などの金属または木材で形成されており、台座１０の角が上記の切断において噛み合うように形成されているが、これに限定されず適宜最適な部材を用いるとよく、また、適宜最適な部材を組み合わせてもよい。なお、台座１０と潰し部材２０は、上記のとおり四角棒状を基本としているが、これに限定されず、例えば、上記の構成及び機能を満たす形状のものであればよい。
【００２０】
また、第１の蓋切断部２１と第２の蓋切断部２２は、左右対称となるように形成されていることが望ましい。また、潰し部材２０と第１及び第２の蓋切断部材を一体的にする方法は、ネジを用いて行っているが、これは一例でありこれに限定されない。
【００２１】
第１の蓋切断部２１と第２の蓋切断部２２についてさらに説明する。第１の蓋切断部２１は、潰し部材２０の一方の側面と一体的となる第１の接合部２１ａと、第１の接合部２１ａを除いた部分である一方の蓋Ｆ１を切断する第１の刃部２１ｂを有しており、同様に、第２の蓋切断部２２は、潰し部材２０の他方の側面と一体的となる第２の接合部２２ａと、第２の接合部２２ａを除いた部分である他方の蓋Ｆ２を切断する第２の刃部２２ｂを有している。
【００２２】
第１の刃部２１ｂと第２の刃部２２ｂのそれぞれは、予め定められた長手方向の長さＬ１と、予め定められた短手方向の長さＬ２を有している。
【００２３】
上記の予め定められた長手方向の長さＬ１は、台座１０の長手方向の長さの略３分の２になるように形成されていることが望ましく、このようにすることで、空き缶Ｋを切断せず円筒部分Ｔを潰すことができる。つまり空き缶Ｋが、第１の蓋切断部２１と第２の蓋切断部２２と当接しないように台座１０に載置され、台座１０と潰し部材２０で圧迫されて潰されるようにすることができる。なお、上記の予め定められた長手方向の長さＬ１は、これに限定されず、適宜最適な長さにすればよい。
【００２４】
上記の予め定められた短手方向の長さＬ２は、５ｍｍから３０ｍｍの範囲であることが望ましいが、１０ｍｍから２０ｍｍであってもよい。なお、短手方向の長さＬ２は、これに限定されず適宜最適な長さにすればよく、例えば、空き缶Ｋを切断することができる最適な長さにすればよい。
【００２５】
また、台座１０の上面の短手方向の第１の長さＬ３と潰し部材の下面の短手方向の第２の長さＬ４は、略同一となるように形成されている。第１の長さＬ３と第２の長さＬ４は、空き缶Ｋの大きさに対応するように形成されており、第１の長さＬ３と第２の長さＬ４は、４０ｍｍから１００ｍｍの範囲であることが望ましいが、これに限定されず、例えば、空き缶Ｋの材質、形状などを考慮して適宜最適な長さとなるように設計するとよい。なお、第１の刃部２１ｂと第２の刃部２２ｂのそれぞれの先端部分は、空き缶Ｋを切断し易くするように鋭利な形状であってもよい。
【００２６】
次に、蓋切断付空き缶潰し器１００が、収納部４０を備えた構成について説明する。収納部４０は、台座１０と一体的に形成されており、収納部４０の内部に回収箱５０が載置されており、上記の切断された一方の蓋Ｆ１、切断された他方の蓋Ｆ２及び前記圧迫された円筒部分Ｔが、回収箱５０に収納されるように形成されている。回収箱５０が、収納部４０から出し入れ自在となるように、収納部４０の側面に開閉扉４１が設けられている。
【００２７】
上記の特徴を有する蓋切断付空き缶潰し器１００は、簡易な構造で空き缶を潰すことができ、且つ、空き缶Ｋを潰すと同時に空き缶の蓋Ｆ１と蓋Ｆ２を切断することができるという顕著な効果を有している。蓋切断付空き缶潰し器１００は、このような効果を有することで、空き缶Ｋを潰し、且つ、空き缶Ｋの蓋Ｆ１と蓋Ｆ２を切断することができることより、効果的に空き缶Ｋを回収することができる。また、収納部４０と回収箱５０を備えることにより、空き缶Ｋの回収作業を効率的に行なうことができる。
【００２８】
なお、本発明は、空き缶を潰し切断するものであるが、これに限定されず、例えば、空き缶をペットボトルに換えて、このペットボトルを台座の上面と潰し部材の下面との間に載置して潰し切断してもよい。このように本発明は、主に、中身のない空き缶を対象としているが、中身のないペットボトルなど適宜中身のない容器を対象にできる優れたものである。
【００２９】
以上、本発明の有する特徴及び優れた点を上記実施形態に記載したが、本発明は、本願の特許請求の範囲で使用されている言葉を広く一般的な意味に拡張して実施することができる。
【００３０】
また、本発明の蓋切断付空き缶潰し器は、大きさや形状、素材の種類、厚さ、重さ、対象の容器などについては多様な実施形態が可能であり、それらについて本実施形態と異なる形態による実施は、本発明の技術的範囲に含まれる。
【符号の説明】
【００３１】
１００    蓋切断付空き缶潰し器
１０      台座
１０ａ    上面
２０      潰し部材
２０ａ    下面
２１      第１の蓋切断部
２１ａ    第１の接合部
２１ｂ    第１の刃部
２２      第２の蓋切断部
２２ａ    第２の接合部
２２ｂ    第２の刃部
３０      ヒンジ
４０      収納部
４１      開閉扉
５０      回収箱
Ｌ１      刃部の長手方向の長さ
Ｌ２      刃部の短手方向の長さ
Ｌ３      第１の長さ
Ｌ４      第２の長さ
Ｋ        空き缶
Ｔ        円筒部分
Ｆ１      一方の蓋
Ｆ２      他方の蓋
【図１】
2020044544.tif 000003
【図２】
2020044544.tif 000004
【図３】
2020044544.tif 000005
【手続補正書】
【提出日】令和2年1月13日(2020.1.13)
【手続補正１】
【補正対象書類名】特許請求の範囲
【補正対象項目名】全文
【補正方法】変更
【補正の内容】
【特許請求の範囲】
【請求項１】
空き缶を載置する四角棒状の台座と、空き缶を圧迫する四角棒状の潰し部材を有し、前記台座と前記潰し部材は、それぞれの端部を中心として回転自在となるように一体的に形成されており、前記台座の上面と前記潰し部材の下面との間に載置される前記空き缶を、前記台座と前記潰し部材を用いて前記空き缶を圧迫することで、前記空き缶の円筒部分を
潰すように形成されている蓋切断付空き缶潰し器であって、
金属で形成された第１の蓋切断部と第２の蓋切断部を有し、
前記第１の蓋切断部は、前記潰し部材の一方の側面に一体的になるように設けられ、
前記第２の蓋切断部は、前記潰し部材の一方の側面と対向する他方の側面に一体的になるように設けられており、
前記第１の蓋切断部と前記第２の蓋切断部は、前記台座の上面と前記潰し部材の下面が当接した状態で、前記台座の両側面を挟み込むように形成されており、
前記台座と前記潰し部材を用いて前記空き缶の円筒部分が前記圧迫され潰される状態において、前記第１の蓋切断部が、前記空き缶の一方の蓋を押切することで、前記第１の蓋切断部と前記台座が噛み合い、前記空き缶から前記一方の蓋が切断され、且つ、前記第２の蓋切断部が、前記空き缶の一方の蓋と対向する他方の蓋を押切することで、前記第２の蓋切断部と前記台座が噛み合い、前記空き缶から前記他方の蓋が切断されるように形成されており、
前記第１の蓋切断部は、
前記潰し部材の一方の側面と一体的となる第１の接合部と、前記第１の接合部を除いた部分である前記一方の蓋を切断する第１の刃部を有し、
前記第２の蓋切断部は、
前記潰し部材の他方の側面と一体的となる第２の接合部と、前記第２の接合部を除いた部分である前記他方の蓋を切断する第２の刃部を有し、
前記第１の刃部と前記第２の刃部のそれぞれは、予め定められた長手方向の長さと、予め定められた短手方向の長さを有し、
前記第１の刃部と前記第２の刃部のそれぞれの前記予め定められた長手方向の長さは、前記台座の長手方向の長さの略３分の２になるように形成されており、
前記第１の刃部と前記第２の刃部のそれぞれの前記予め定められた短手方向の長さは、１０ｍｍから２０ｍｍの範囲であり、
前記台座と前記潰し部材は、前記それぞれの端部にヒンジが設けられており、前記ヒンジを用いて前記回転自在となるように形成されており、
前記台座と前記潰し部材は、金属で形成されており、
前記第１の蓋切断部と前記第２の蓋切断部は、左右対称となるように形成されており、
前記台座の上面の短手方向の第１の長さと前記潰し部材の下面の短手方向の第２の長さは、略同一であり、
前記第１の長さと前記第２の長さが、前記空き缶の大きさに対応するように形成されており、
前記空き缶の大きさに対応するように形成されている前記第１の長さと前記第２の長さは、４０ｍｍから１００ｍｍの範囲であり、
前記台座と一体的に形成された収納部を有し、
前記収納部には、内部に回収箱が載置されるように形成されており、
前記切断された一方の蓋、前記切断された他方の蓋及び前記圧迫された円筒部分が、前記収納部に載置された回収箱に収納されるように形成されており、
前記回収箱が、前記収納部から出し入れ自在となるように、前記収納部の側面に開閉扉が設けられていることを特徴とする蓋切断付空き缶潰し器。